(57)【要約】【課題】様々な寝相に対応することができる枕を提供する。【解決手段】枕１は、第１の枕部材１０と、第１の枕部材１０と組み合わせて用いられる第２の枕部材２０とからなる。第１の枕部材１０は、少なくとも人の頭部が載る頭支持部１１と、頭支持部１１と一体形成され頭支持部１１に対して斜め下方へ張り出し頭支持部１１の中心線に対して線対称をなす一対の張出部１２，１３と、頭支持部１１の下端部と２つの張出部１２，１３の内縁とで囲まれる凹部１４とを備える。凹部１４は、横臥した状態での人の肩部が嵌まる開口幅を有している。第２の枕部材２０は、第１の枕部材１０の頭支持部１１が載置可能なベース部２１を備えている。【選択図】図１
2019154786.tif 000002
【特許請求の範囲】
【請求項１】
第１の枕部材と、第１の枕部材と組み合わせて用いられる第２の枕部材とからなり、
第１の枕部材は、少なくとも人の頭部が載る頭支持部と、前記頭支持部と一体形成され前記頭支持部に対して斜め下方へ張り出し頭支持部の中心線に対して線対称をなす一対の張出部と、前記頭支持部の下端部と２つの前記張出部の内縁とで囲まれる凹部とを備え、前記凹部は、横臥した状態での人の肩部が嵌まる開口幅を有しており、
第２の枕部材は、第１の枕部材の頭支持部が載置可能なベース部を備えてなる枕。
【請求項２】
第１の枕部材は、前記頭支持部の縦長さが凹部の深さの少なくとも３倍であり、前記頭支持部の中心と各張出部の先端とを結ぶ直線の長さは、頭支持部の縦長さより長い請求項１に記載の枕。
【請求項３】
第１の枕部材は、前記頭支持部の上端部および前記各張出部の先端部が湾曲しており、前記頭支持部の上端部の湾曲は各張出部の先端部の湾曲より曲率半径が大きい請求項１に記載の枕。
【請求項４】
第１、第２の各枕部材は、平面形状が略同一であり、第２の枕部材は、第１の枕部材の前記頭支持部を支持するベース部と、前記ベース部と一体形成され前記ベース部に対して斜め上方へ張り出しベース部の中心線に対して線対称をなす一対の張出部と、前記ベース部の上端部と２つの張出部の内縁とで囲まれる凹部とを備えている請求項１に記載の枕。
【請求項５】
第１、第２の各枕部材は、布袋の内部にクッション性を有する充填材が充填されてなり、第１の枕部材の布袋に充填される充填材は第２の枕部材の布袋に充填される充填材より柔軟な素材である請求項１または３に記載の枕。
【請求項６】
第２の枕部材の前記ベース部上に第１の枕部材の頭支持部が載せられた形態のまま第１、第２の枕部材を収容することが可能な枕カバーをさらに備える枕。
【発明の詳細な説明】
【技術分野】
【０００１】
本発明は枕に関し、より詳細には、複数の枕部材が組み合わされて構成される枕に関する。
【背景技術】
【０００２】
良好な睡眠を得ることは人の健康にとって重要であり、これまでに様々な寝具が提案されている。掛布団、敷布団、および枕等の種々の寝具のうち、人の頭部をサポートする枕は、睡眠時の快適性を向上させるうえで大きな役割を果たしており、様々な工夫が凝らされている。
【０００３】
例えば特許文献１に記載の枕によると、睡眠中に好適な姿勢を保つことができる。枕の平面視は略Ｌ字型となっており、枕を構成する袋状部材は、中心部と長手部と短手部とを有している。特許文献１の枕は、後頭部を短手部に当接させ、片側の肩および背中を長手部に当接させた状態で、横臥して使用される。
【先行技術文献】
【特許文献】
【０００４】
【特許文献１】特開２０１６−２４３５号公報
【発明の概要】
【発明が解決しようとする課題】
【０００５】
睡眠時に仰向けの姿勢を好む人がいれば、横臥姿勢（または側臥姿勢とも呼ぶ）を好む人もいる。また例えば、長時間の労働で全身に疲労が蓄積している人の中には、うつ伏せの姿勢をとり、ベッドに崩れ落ちるように眠る人もいる。このように、睡眠時の人の寝相は様々であり、様々な寝相に対応することができる枕が求められている。
【０００６】
本発明は、様々な寝相に対応することができる枕を提供する。
【課題を解決するための手段】
【０００７】
本発明に係る枕は、第１の枕部材と、第１の枕部材と組み合わせて用いられる第２の枕部材とからなる。第１の枕部材は、少なくとも人の頭部が載る頭支持部と、頭支持部と一体形成され頭支持部に対して斜め下方へ張り出し頭支持部の中心線に対して線対称をなす一対の張出部と、頭支持部の下端部と２つの張出部の内縁とで囲まれる凹部とを備える。凹部は、横臥した状態での人の肩部が嵌まる開口幅を有している。第２の枕部材は、第１の枕部材の頭支持部が載置可能なベース部を備えている。
【０００８】
本発明に係る枕によると、様々な寝相に対応することができる。仰向けの姿勢では、第１の枕部材の一対の張出部が人の頭部から首周辺の側方に位置しているので、頭部はしっかりと支えられて優しく包み込まれ、安定して載置される。頭支持部は第２の枕部材のベース部上に載せられているので、頭支持部の領域に頭部の重みが加わっても、頭支持部の領域だけが不自然に下方に落ち込むことはない。これにより、自然な仰向けの姿勢が保たれる。
【０００９】
横臥姿勢では、張出部の下方に生じている空間に腕を通すことができる。これにより、腕の上方に張出部が重なることとなり、横臥姿勢中の寝相の変化により腕枕の状態になった場合であっても、腕に加わる頭部の重みを適度に吸収または分散することができる。また、横臥姿勢では、通常の横臥姿勢に加えてさらに、腕を肩部の水平位置よりも頭部側に伸ばした状態で、睡眠姿勢を取ることができる。腕を頭部よりも上方に伸ばす動作は、肩まわりの筋肉をほぐすストレッチ動作にもなる。また、横臥姿勢と仰向けの姿勢との間で、寝相をスムーズに変化させることもできる。
【００１０】
第１の枕部材の一実施形態は、頭支持部の縦長さが凹部の深さの少なくとも３倍であり、頭支持部の中心と各張出部の先端とを結ぶ直線の長さは、頭支持部の縦長さより長い。これにより、第１の枕部材が人の頭部を載せるのにより適した寸法となる。
【００１１】
第１の枕部材の他の実施形態は、頭支持部の上端部および各張出部の先端部が湾曲しており、頭支持部の上端部の湾曲は各張出部の先端部の湾曲より曲率半径が大きい。これにより、第１の枕部材が丸みを帯びた形状となり、フィット感や安心感も向上する。
【００１２】
第１、第２の各枕部材の好ましい実施形態では、第１、第２の各枕部材は、平面形状が略同一であり、第２の枕部材は、第１の枕部材の頭支持部を支持するベース部と、ベース部と一体形成されベース部に対して斜め上方へ張り出しベース部の中心線に対して線対称をなす一対の張出部と、ベース部の上端部と２つの張出部の内縁とで囲まれる凹部とを備えている。
【００１３】
これにより、本発明に係る枕は、さらに様々な寝相に対応することができる。すなわち、うつ伏せの姿勢において、左右それぞれの空間に右腕および左腕をそれぞれ通して、第２の枕部材の張出部を抱き抱えることができるので、自然なうつ伏せ寝の姿勢を保つことができる。第２の枕部材の凹部の窪みに頭部を嵌めることができるので、フィット感や安心感も得られ、呼吸も容易である。さらに、第２の枕部材の張出部上に腕を載せることで、なだらかな傾斜で両腕を頭部側に伸ばした状態で、うつ伏せの姿勢を取ることができるので、肩まわりの筋肉をほぐすストレッチ動作にもなる。
【００１４】
第１、第２の各枕部材の他の好ましい実施形態では、第１、第２の各枕部材は、布袋の内部にクッション性を有する充填材が充填されてなり、第１の枕部材の布袋に充填される充填材は第２の枕部材の布袋に充填される充填材より柔軟な素材である。これにより、各枕部材のクッション性がより適したものとなり、睡眠時の快適性が向上する。
【００１５】
枕の好ましい実施形態は、第２の枕部材のベース部上に第１の枕部材の頭支持部が載せられた形態のまま第１、第２の枕部材を収容することが可能な枕カバーをさらに備える。これにより、第１の枕部材および第２の枕部材の位置関係すなわち重ね具合が適切に保持される。
【発明の効果】
【００１６】
本発明によると、様々な寝相に対応することができる枕を提供することができる。
【図面の簡単な説明】
【００１７】
【図１】一実施形態に係る枕を模式的に表した斜視図である。
【図２】（１）は第１の枕部材の一実施形態を模式的に表した平面図であり、（２）は第２の枕部材の一実施形態を模式的に表した平面図である。
【図３】枕を構成する第１および第２の枕部材が第１の重ね方により組み合わされている状態を模式的に表した図であり、（ａ）が平面図、（ｂ）が（ａ）のＳ１−Ｓ１線に沿う断面図である。
【図４】枕を構成する第１および第２の枕部材が第２の重ね方により組み合わされている状態を模式的に表した図であり、（ａ）が平面図、（ｂ）が（ａ）のＳ２−Ｓ２線に沿う断面図である。
【図５】枕の第１の使用態様を模式的に表した平面図である。
【図６】枕の第２の使用態様を模式的に表した平面図である。
【図７】枕の第３の使用態様を模式的に表した平面図である。
【図８】枕の第４の使用態様を模式的に表した平面図である。
【図９】枕カバーを構成する第１の袋体の一実施形態を模式的に表した図であり、（ａ）が開口部の内側から見た第１の袋体の平面図、（ｂ）が（ａ）のＡ１−Ａ１線に沿う端面図である。
【図１０】枕カバーを構成する第２の袋体の一実施形態を模式的に表した図であり、（ａ）が開口部の内側から見た第２の袋体の平面図、（ｂ）が（ａ）のＡ２−Ａ２線に沿う端面図である。
【図１１】枕カバーの一実施形態を模式的に表した図であり、（ａ）が平面図、（ｂ）が（ａ）のＢ−Ｂ線に沿う端面図である。
【図１２】図１１に示す枕カバーが裏返された状態を模式的に表した図であり、（ａ）が平面図、（ｂ）が（ａ）のＣ−Ｃ線に沿う端面図である。
【発明を実施するための形態】
【００１８】
以下、本発明の実施形態を、添付の図面を参照して詳細に説明する。なお、以下の説明および図面において、同じ符号は同じまたは類似の構成要素を示すこととし、よって、同じまたは類似の構成要素に関する重複した説明を省略する。
【００１９】
図１は、一実施形態に係る枕を模式的に表した斜視図である。
【００２０】
一実施形態に係る枕１は、第１の枕部材１０と、第１の枕部材１０と組み合わせて用いられる第２の枕部材２０とを備える。
【００２１】
第１の枕部材１０および第２の枕部材２０は、一実施形態では、例えば布袋等の袋体の内部に、クッション性を有する充填材が充填されて構成されている。第１の枕部材１０の袋体に充填される充填材は、第２の枕部材２０の袋体に充填される充填材よりも柔軟な素材であることが好ましい。例示的な充填材としては、例えば、そば殻、発泡ビーズ、樹脂材料のチップ等の粒状の物体が挙げられる。
【００２２】
第１の枕部材１０は、図２（１）に示すように、頭支持部１１と、一対の張出部１２，１３と、凹部１４とを備え、第２の枕部材２０は、図２（２）に示すように、ベース部２１と、一対の張出部２２，２３と、凹部２４とを備える。図１に示すように、第１の枕部材１０および第２の枕部材２０は、第２の枕部材２０のベース部２１上に第１の枕部材１０の頭支持部１１が載せられた形態で組み合わされる。好ましくは、第１の枕部材１０および第２の枕部材２０は、組み合わされた状態で枕カバー５０に収容されている。一実施形態では、枕カバー５０の側面には開口部５１が設けられている。枕カバー５０の詳細については後述する。
【００２３】
第１の枕部材１０の頭支持部１１は、主に人の頭部を支持する。一対の張出部１２，１３は、頭支持部１１と一体形成されており、頭支持部１１に対して斜め下方へ張り出し頭支持部１１の中心線１１ａに対して略線対称をなしている。凹部１４は、頭支持部１１の下端部と２つの張出部１２，１３の内縁とで囲まれる空間により構成されている。
【００２４】
一実施形態では、頭支持部１１は、少なくとも人の頭部が載る縦長さＬ１（例示的には、Ｌ１＝３３ｃｍ）を有し、横臥した状態での人の頭部が載る横幅Ｗ１（例示的には、Ｗ１＝４０ｃｍ）を有する。凹部１４は、横臥した状態での人の肩部が嵌る開口幅を有している。
【００２５】
一実施形態では、図２（１）に示すように、頭支持部１１の上端部および各張出部１２，１３の先端部は湾曲している。好ましくは、頭支持部１１の上端部の湾曲は、各張出部１２，１３の先端部の湾曲よりも曲率半径が大きくされている。
【００２６】
一実施形態では、頭支持部１１の縦長さＬ１は、凹部１４の深さｄ１（例示的には、ｄ１＝１１ｃｍ）の少なくとも３倍程度である。また、一実施形態では、頭支持部１１の中心Ｃ１と各張出部１２，１３の先端とを結ぶ直線１２ｃ、１３ｃの長さは、頭支持部１１の縦長さＬ１よりも長い。好ましくは、張出部１２の直線１２ｃの長さと、張出部１３の直線１３ｃの長さとは略同一である。一実施形態では、第１の枕部材１０の厚みは約１１ｃｍである。
【００２７】
第２の枕部材２０のベース部２１は、第１の枕部材１０の頭支持部１１を支持する。一対の張出部２２，２３は、ベース部２１と一体形成されており、ベース部２１に対して斜め上方へ張り出しベース部２１の中心線２１ａに対して略線対称をなしている。凹部２４は、ベース部２１の上端部と２つの張出部２２，２３の内縁とで囲まれる空間により構成されている。なお、図２（２）に示す第２の枕部材２０は、図１に示す態様で第１の枕部材１０に組み合わせて用いるのを常態とするものであり、図２（２）の上下が反転した状態では第１の枕部材１０と平面形状が略同一である。
【００２８】
一実施形態では、ベース部２１は、第１の枕部材１０の頭支持部１１が載置可能な縦長さＬ２（例示的には、Ｌ２＝３３ｃｍ）および横幅Ｗ２（例示的には、Ｗ２＝４０ｃｍ）を有している。
【００２９】
一実施形態では、図２（２）に示すように、ベース部２１の下端部および各張出部２２，２３の先端部は湾曲している。好ましくは、ベース部２１の下端部の湾曲は、各張出部２２，２３の先端部の湾曲よりも曲率半径が大きくされている。
【００３０】
一実施形態では、ベース部２１の縦長さＬ２は、凹部２４の深さｄ２（例示的には、ｄ２＝１１ｃｍ）の少なくとも３倍程度である。また、一実施形態では、ベース部２１の中心Ｃ２と各張出部２２，２３の先端とを結ぶ直線２２ｃ、２３ｃの長さは、ベース部２１の縦長さＬ２よりも長い。好ましくは、張出部２２の直線２２ｃの長さと、張出部２３の直線２３ｃの長さとは略同一である。一実施形態では、第２の枕部材２０の厚みは約７ｃｍである。
【００３１】
図３は、枕を構成する第１および第２の枕部材１０，２０が第１の重ね方により組み合わされている状態を模式的に表した図であり、（ａ）が平面図、（ｂ）が（ａ）のＳ１−Ｓ１線に沿う断面図である。説明のために、枕カバー５０は取り外した状態で図示している。
【００３２】
第１の重ね方では、第２の枕部材２０が第１の枕部材１０の土台となり、第１の枕部材１０の頭支持部１１と第２の枕部材２０のベース部２１とが重なり合うように、頭支持部１１がベース部２１上に載せられている。好ましくは、第１の枕部材１０において、一対の張出部１２，１３の頭支持部１１側の根本付近には、枕１を載置する面（例えば、床面）との間に空間１５が生じている。なお、空間１５が生じている限り、張出部１２，１３の先端は、垂れ下がって枕１を載置する面に接触していてもよい。頭支持部１１およびベース部２１が重なる部分における枕１の例示的な厚さＨは、約１８ｃｍである。頭支持部１１に人の頭部の重みが加わると、厚さＨは、例示的には約１２ｃｍとなる。
【００３３】
図４は、枕を構成する第１および第２の枕部材１０，２０が第２の重ね方により組み合わされている状態を模式的に表した図であり、（ａ）が平面図、（ｂ）が（ａ）のＳ２−Ｓ２線に沿う断面図である。説明のために、枕カバー５０は取り外した状態で図示している。
【００３４】
第２の重ね方では、第１の枕部材１０が第２の枕部材２０の土台となり、第２の枕部材２０のベース部２１と第１の枕部材１０の頭支持部１１とが重なり合うように、ベース部２１が頭支持部１１上に載せられている。好ましくは、第２の枕部材２０において、一対の張出部２２，２３のベース部２１側の根本付近には、枕１を載置する面（例えば、床面）との間に空間２５が生じている。なお、空間２５が生じている限り、張出部２２，２３の先端は、垂れ下がって枕１を載置する面に接触していてもよい。
【００３５】
図５は、枕の第１の使用態様を模式的に表した平面図である。
【００３６】
第１の使用態様は、仰向けの姿勢に対応した態様であり、枕１は、図３に示す第１の重ね方で用いられる。仰向けの姿勢では、第１の枕部材１０の頭支持部１１の上に人の頭部９０が載せられる。
【００３７】
第１の使用態様では、第１の枕部材１０の頭支持部１１および一対の張出部１２，１３は略Ｌ字型を構成しており、一対の張出部１２，１３が人の頭部９０から首周辺の側方に位置している。これにより、頭部９０はしっかりと支えられて優しく包み込まれ、安定して載置される。頭支持部１１は第２の枕部材２０のベース部２１上に載せられているので、頭支持部１１の領域に頭部９０の重みが加わっても、一対の張出部１２，１３と比較して頭支持部１１の領域だけが不自然に下方に落ち込むことはない。これにより、自然な仰向けの姿勢が保たれる。
【００３８】
図６は、枕の第２の使用態様を模式的に表した平面図であり、人から見て右側に横臥姿勢をとった状態が示されている。通常の横臥姿勢における右腕９１が二点鎖線で示されている。
【００３９】
第２の使用態様は、横臥姿勢に対応した態様であり、第１の使用態様と同様に、枕１は、図３に示す第１の重ね方で用いられる。また、第１の使用態様と同様に、横臥姿勢においても、第１の枕部材１０の頭支持部１１の上に人の頭部９０が載せられる。
【００４０】
第２の使用態様では、通常の横臥姿勢に加えてさらに、張出部１２の下方に生じている空間１５に右腕９１を通した状態でも、横臥姿勢を取ることができる。これにより、腕９１の上方に張出部１２が重なることとなり、横臥姿勢中の寝相の変化により腕枕の状態になった場合であっても、腕９１に加わる頭部９０の重みを適度に吸収または分散することができる。さらに、従来の矩形状またはＬ字型の枕を使用する横臥姿勢では、右腕９１を肩部の水平位置よりも頭部９０側に振り上げることは容易ではなかったところ、一実施形態に係る枕１によると、右腕９１を肩部の水平位置よりも頭部９０側にスムーズに振り上げることができる。これにより、横臥姿勢において、右腕９１を肩部の水平位置よりも頭部９０側に伸ばした状態で、睡眠姿勢を取ることができる。腕９１，９２を頭部９０よりも上方に伸ばす動作は、肩まわりの筋肉をほぐすストレッチ動作にもなる。
【００４１】
なお、図６に示す例では、右側に横臥姿勢をとった状態が図示されているが、左側に横臥姿勢をとった場合もこれと同様である。すなわち、第２の使用態様では、通常の横臥姿勢に加えてさらに、張出部１３の下方に生じている空間１５に左腕９２を通した状態で、横臥姿勢を取ることができる。
【００４２】
また、第２の使用態様と第１の使用態様との間では、枕１の重ね方および頭部９０を載せる位置が共通している。これにより、第２の使用態様と第１の使用態様との間では、人は寝相をスムーズに変化させることができる。
【００４３】
図７は、枕の第３の使用態様を模式的に表した平面図である。
【００４４】
第３の使用態様は、うつ伏せの姿勢に対応した態様であり、枕１は図４に示す第２の重ね方で用いられる。うつ伏せの姿勢では、第２の枕部材２０のベース部２１上に人の胸部から頭部９０の顎周辺が載せられる。
【００４５】
第３の使用態様では、第２の枕部材２０のベース部２１および一対の張出部２２，２３は略Ｌ字型を構成しており、一対の張出部２２，２３が人の頭部９０から首周辺の側方に位置している。また、ベース部２１は第１の枕部材１０の頭支持部１１上に載せられているので、張出部２２，２３の下方には空間２５が生じている。これにより、左右それぞれの空間２５に右腕９１および左腕９２をそれぞれ通して、張出部２２，２３を抱き抱えることができ、自然なうつ伏せ寝の姿勢を保つことができる。凹部２４の窪みに頭部９０を嵌めることができるので、フィット感や安心感も得られ、呼吸も容易である。
【００４６】
図８は、枕の第４の使用態様を模式的に表した平面図である。
【００４７】
第４の使用態様も、うつ伏せの姿勢に対応した態様であり、第３の使用態様と同様に、枕１は図４に示す第２の重ね方で用いられる。第３の使用態様と同様に、第２の枕部材２０のベース部２１上に人の胸部から頭部９０の顎周辺が載せられる。
【００４８】
第４の使用態様では、両腕９１，９２を頭部９０側に伸ばした状態で、うつ伏せの姿勢を取ることができる。伸ばした左右それぞれの腕９１，９２は、左右それぞれの張出部２２，２３に支持される。この際、ベース部２１は第１の枕部材１０の頭支持部１１上に載せられているので、ベース部２１と一体形成されている張出部２２，２３の傾斜はなだらかとなり、両腕９１，９２の傾斜もなだらかとなる。これにより、自然なうつ伏せ寝の姿勢が保たれる。凹部２４の窪みに頭部９０を嵌めることができるので、フィット感や安心感も得られ、呼吸も容易である。腕９１，９２を頭部９０よりも上方に伸ばす動作は、肩まわりの筋肉をほぐすストレッチ動作にもなる。
【００４９】
ここで図１に戻って、一実施形態に係る枕カバー５０を説明する。一実施形態では、枕カバー５０は、第１の枕部材１０を収容する第１の袋体３０（図９に示す）の周縁部と、第２の枕部材２０を収容する第２の袋体４０（図１０に示す）の周縁部とが縫い合わされて構成されている。枕カバー５０の側面に設けられた開口部５１は、第１および第２の各袋体３０，４０内へ第１および第２の各枕部材１０，２０を挿入する部分であり、第１および第２の袋体３０，４０の周縁部の縫い合わせが行われていない区間である。
【００５０】
図９は、枕カバー５０を構成する第１の袋体３０の一実施形態を模式的に表した図であり、（ａ）が開口部５１の内側から見た第１の袋体３０の平面図、（ｂ）が（ａ）のＡ１−Ａ１線に沿う端面図である。
【００５１】
図９に示す第１の袋体３０において、破線で示す第１の枕部材１０の輪郭に沿った領域の内側が袋状に構成されている。この袋状の空間に第１の枕部材１０が収容される。一実施形態では、袋状の空間は、上側折り重ね部３１と、下側折り重ね部３２と、基布部３３との、例えば３枚の伸縮性の布地を縫い合わせることにより形成されている。
【００５２】
上側折り重ね部３１および下側折り重ね部３２の一部が互いに重なり合うことにより、第１の袋体３０には、開閉自在な挿入口３４が設けられている。袋状の空間へ第１の枕部材１０を挿入する際には、上側折り重ね部３１の下端３１ａが、図中上方の二点鎖線３１ｂの位置に引っ張り上げられ、下側折り重ね部３２の上端３２ａが、図中下方の二点鎖線３２ｂの位置に引っ張り下げられることにより、挿入口３４が開かれる。
【００５３】
袋状の空間から斜め上方へ張り出す布地３５，３６の領域は、第２の袋体４０との縫い合わせに用いる領域である。布地３５，３６の領域は、一枚の布で構成されていてもよいし、複数枚の布地により袋状に構成されていてもよい。または、布地３５，３６および基布部３３の領域が、一枚の布で構成されていてもよい。
【００５４】
図１０は、枕カバー５０を構成する第２の袋体４０の一実施形態を模式的に表した図であり、（ａ）が開口部５１の内側から見た第２の袋体４０の平面図、（ｂ）が（ａ）のＡ２−Ａ２線に沿う端面図である。
【００５５】
一実施形態では、第２の袋体４０は、第１の袋体３０の上下が反転した構成を有している。
【００５６】
図１０に示す第２の袋体４０において、破線で示す第２の枕部材２０の輪郭に沿った領域の内側が袋状に構成されている。この袋状の空間に第２の枕部材２０が収容される。一実施形態では、袋状の空間は、上側折り重ね部４１と、下側折り重ね部４２と、基布部４３との、例えば３枚の伸縮性の布地を縫い合わせることにより形成されている。
【００５７】
上側折り重ね部４１および下側折り重ね部４２の一部が互いに重なり合うことにより、第２の袋体４０には、開閉自在な挿入口４４が設けられている。袋状の空間へ第２の枕部材２０を挿入する際には、上側折り重ね部４１の上端４１ａが、図中下方の二点鎖線４１ｂの位置に引っ張り下げられ、下側折り重ね部４２の下端４２ａが、図中上方の二点鎖線４２ｂの位置に引っ張り上げられることにより、挿入口４４が開かれる。
【００５８】
袋状の空間から斜め下方へ張り出す布地４５，４６の領域は、第１の袋体３０との縫い合わせに用いる領域である。布地４５，４６の領域は、一枚の布で構成されていてもよいし、複数枚の布地により袋状に構成されていてもよい。または、布地４５，４６および基布部４３の領域が、一枚の布で構成されていてもよい。
【００５９】
図１１は、枕カバー５０の一実施形態を模式的に表した図であり、（ａ）が平面図、（ｂ）が（ａ）のＢ−Ｂ線に沿う端面図である。
【００６０】
一実施形態では、枕カバー５０は、第１の枕部材１０を収容する第１の袋体３０の周縁部と、第２の枕部材２０を収容する第２の袋体４０の周縁部とが縫い合わされて構成されている。第１の袋体３０と第２の袋体４０との縫い合わせを図中に一点鎖線で示し、第１の枕部材１０および第２の枕部材２０の輪郭を破線で示す。一実施形態では、挿入口３４が設けられている第１の袋体３０の面と、挿入口４４が設けられている第２の袋体４０の面とが向かい合うように縫い合わされている。
【００６１】
枕カバー５０の側面には、周縁部の縫い合わせが行われていない区間である開口部５１が設けられている。図９を参照して説明したように、この開口部５１を通じて、第１の袋体３０の上側折り重ね部３１の下端３１ａと下側折り重ね部３２の上端３２ａとが引っ張り広げられて、第１の袋体３０に設けられた袋状の空間へ、第１の枕部材１０が挿入される。
【００６２】
同様に、図１０を参照して説明したように、開口部５１を通じて、第２の袋体４０の上側折り重ね部４１の上端４１ａと下側折り重ね部４２の下端４２ａとが引っ張り広げられて、第２の袋体４０に設けられた袋状の空間へ、第２の枕部材２０が挿入される。
【００６３】
図１２は、図１１に示す枕カバー５０が裏返された状態を模式的に表した図であり、（ａ）が平面図、（ｂ）が（ａ）のＣ−Ｃ線に沿う端面図である。
【００６４】
枕カバー５０の側面には開口部５１が設けられており、この開口部５１を通じて枕カバー５０の表裏を裏返すことができる。図１２に示すように、枕カバー５０を裏返した状態では、第１の袋体３０に設けられている挿入口３４および第２の袋体４０に設けられている挿入口４４はいずれも外側に露出している。したがって、挿入口３４、４４を開ける際に開口部５１を通じてアクセスする必要はなく、外側に露出しているそれぞれの挿入口３４、４４を通じて、第１の枕部材１０および第２の枕部材２０をそれぞれ、袋状の空間へ挿入することができる。
【００６５】
枕カバー５０を裏返す際には、第１の枕部材１０および第２の枕部材２０を枕カバー５０から抜き出しておくことが好ましい。
【００６６】
以上、一実施形態に係る枕によると、以下に例示する様々な寝相に対応することができる。
【００６７】
仰向けの姿勢では、第１の枕部材１０の一対の張出部１２，１３が人の頭部９０から首周辺の側方に位置しているので、頭部９０はしっかりと支えられて優しく包み込まれ、安定して載置される。頭支持部１１は第２の枕部材２０のベース部２１上に載せられているので、頭支持部１１の領域に頭部９０の重みが加わっても、頭支持部１１の領域だけが不自然に下方に落ち込むことはない。これにより、自然な仰向けの姿勢が保たれる。
【００６８】
横臥姿勢では、通常の横臥姿勢に加えてさらに、腕９１，９２を肩部の水平位置よりも頭部９０側に伸ばした状態で、睡眠姿勢を取ることができる。腕９１，９２を頭部９０よりも上方に伸ばす動作は、肩まわりの筋肉をほぐすストレッチ動作にもなる。また、横臥姿勢と仰向けの姿勢との間で、寝相をスムーズに変化させることもできる。
【００６９】
うつ伏せの姿勢では、左右それぞれの空間２５に右腕９１および左腕９２をそれぞれ通して、張出部２２，２３を抱き抱えることができるので、自然なうつ伏せ寝の姿勢を保つことができる。凹部２４の窪みに頭部９０を嵌めることができるので、フィット感や安心感も得られ、呼吸も容易である。さらに、張出部２２，２３上に腕９１，９２を載せることで、なだらかな傾斜で両腕９１，９２を頭部９０側に伸ばした状態で、うつ伏せの姿勢を取ることができるので、肩まわりの筋肉をほぐすストレッチ動作にもなる。
【００７０】
［その他の形態］
以上、本発明を特定の実施形態によって説明したが、本発明は上記した実施形態に限定されるものではない。
【００７１】
上記実施形態では、第２の枕部材２０は、ベース部２１と一対の張出部２２，２３と凹部２４とを備えているが、仰向けの姿勢および横臥姿勢では、第１の枕部材１０は、第２の枕部材２０のベース部２１上に頭支持部１１が載せられていればよく、第２の枕部材２０は、少なくともベース部２１を備えていればよい。
【００７２】
上記実施形態では、第１の枕部材１０の袋体に充填される充填材は、第２の枕部材２０の袋体に充填される充填材よりも柔軟な素材であるが、これに代えて、第２の枕部材２０の袋体に充填される充填材が、第１の枕部材１０の袋体に充填される充填材よりも柔軟な素材であってもよい。または、第１の枕部材１０の袋体に充填される充填材と第２の枕部材２０の袋体に充填される充填材とが同じであってもよい。
【００７３】
上記実施形態では、枕部材１０，２０の充填材として、そば殻等の粒状の物体が例示されているが、充填材はこれに限定されない。充填材としては、例えば綿等の繊維材料や羽毛等であってもよいし、綿状または繊維状の樹脂素材であってもよい。また、綿等の繊維材料や繊維状の樹脂素材は、例えば粒綿のように粒状に加工されていてもよい。または、気体や液体を密閉して充填可能な中空の袋として枕部材１０，２０を構成し、この袋に空気や水等を充填することにより、枕部材１０，２０を構成してもよい。
【００７４】
上記実施形態では、枕カバー５０は２つの袋体３０，４０が縫い合わされて構成されているが、枕カバー５０の構成はこれに限定されない。例えば、周縁部の縫い合わせに代えて、ファスナを用いて第１の袋体３０および第２の袋体４０を貼り合わせて、枕カバー５０を構成してもよい。この場合、側面の開口部５１を省略することができる。
【００７５】
また、第１の袋体３０について、挿入口３４に代えて、ファスナを用いて第１の袋体３０を構成してもよい。この場合、挿入口３４の位置にファスナを設けてもよいし、第１の袋体３０の周縁部がファスナで開閉自在となるように構成してもよい。第２の袋体４０についても第１の袋体３０と同様の構成とすることができる。また、このように構成された第１の袋体３０および第２の袋体４０を、例えば面ファスナ等の手段により、例えば図３に示す第１の重ね方で組み合わせて、枕カバー５０を構成してもよい。
【００７６】
上記実施形態では、第１の袋体３０において、袋状の空間は、上側折り重ね部３１と、下側折り重ね部３２と、基布部３３とにより形成されているが、袋状の空間はこのような構成に限定されない。袋状の空間は、第１の枕部材１０の位置を保持することができればよい。例えば第１の袋体３０は、上側折り重ね部３１および下側折り重ね部３２の少なくともどちらかと、基布部３３とを備えていればよい。同様に、例えば第２の袋体４０は、上側折り重ね部４１および下側折り重ね部４２の少なくともどちらかと、基布部４３とを備えていればよい。
【符号の説明】
【００７７】
１     枕
１０   第１の枕部材
１１   頭支持部
１２，１３    張出部
１４   凹部
２０   第２の枕部材
２１   ベース部
２２，２３    張出部
２４   凹部
３０   第１の袋体
３１、３２    折り重ね部
３３   基布部
３４   挿入口
３５，３６    布地
４０   第２の袋体
４１，４２    折り重ね部
４３   基布部
４４   挿入口
４５，４６    布地
５０   枕カバー
５１   開口部
９０   頭部
９１，９２    腕
【図１】
2019154786.tif 000003
【図２】
2019154786.tif 000004
【図３】
2019154786.tif 000005
【図４】
2019154786.tif 000006
【図５】
2019154786.tif 000007
【図６】
2019154786.tif 000008
【図７】
2019154786.tif 000009
【図８】
2019154786.tif 000010
【図９】
2019154786.tif 000011
【図１０】
2019154786.tif 000012
【図１１】
2019154786.tif 000013
【図１２】
2019154786.tif 000014